(57)【要約】【課題】  人の肌にうるおうを水分量を与えられ、肌の乾燥やそれにともなうかゆみを低減できるようにした加湿器を得る。【解決手段】  室内の湿度を検出する湿度センサ２と、うるおい運転を指示するうるおい運転スイッチ４と、肌にうるおいを与えられる湿度と時間との相関データを記憶した記憶部７と、制御部８とを備えており、この制御部８は、前記うるおい運転スイッチ４によってうるおい運転が指示されたとき、前記湿度センサ２の検出値と前記記憶部７に記憶された相関データに基づき，室内の湿度を肌にうるおいを与えられる湿度で所定時間維持するように運転する。【選択図】        図２
2004294058.tif 000002
【特許請求の範囲】
【請求項１】
室内の湿度を検出する湿度検出手段と、うるおい運転を指示するうるおい運転指示手段と、肌にうるおいを与えられる湿度と時間との相関データを記憶した記憶部と、制御部とを備え、この制御部は、前記うるおい運転指示手段によってうるおい運転が指示されたとき、前記湿度検出手段の検出値と前記記憶部に記憶された相関データに基づき、室内の湿度を肌にうるおいを与えられる湿度で所定時間維持するように運転することを特徴とする加湿器。
【請求項２】
前記制御部は、時間経過と共に肌にうるおいを与えられる湿度にゆらぎを付与することを特徴とする請求項１記載の加湿器。
【請求項３】
前記記憶部に記憶した肌にうるおいを与えられる湿度と時間の相関データを使用者が所定の範囲ないで任意に変更可能にしたことを特徴とする請求項１又は２記載の加湿器。
【発明の詳細な説明】
【技術分野】
【０００１】
本発明は、一般家庭において、室内の乾燥を防止するために使用されるヒータ加熱式等よりなる加湿器に関するものである。
【背景技術】
【０００２】
従来の加湿器には、室内の湿度に関係なく、予め設定された加湿量によって、常に一定量の加湿を行う方式のものや、湿度センサを有し、使用者が自分で好みの湿度を設定して、室内の湿度がこの設定湿度に保たれるように、自動的に加湿量を制御して運転する方式のものが殆どである（例えば、特許文献１参照）。
【０００３】
【特許文献１】特開２００１−３３０８２号公報（第３−４頁、図１−３）
【発明の開示】
【発明が解決しようとする課題】
【０００４】
しかし、従来の加湿器では上記のように、室内の湿度に関係なく、予め設定された加湿量によって、常に一定量の加湿を行ったり、湿度センサを備えていても、使用者が自分で好みの湿度を設定して運転されるだけであり、人の肌に含まれる水分量とは関係なく運転されることが多かった。このため、肌にうるおいを与える湿度で運転されるケースは殆どなく、肌の乾燥やかゆみを抑えるなどの効果は得られなかった。
【０００５】
本発明は上記のような課題を解消するためになされたもので、人の肌にうるおいを与えられ、肌の乾燥やそれに伴うかゆみを低減できるようにした加湿器を得ることを目的とする。
【課題を解決するための手段】
【０００６】
本発明に係る加湿機は、室内の湿度を検出する湿度検出手段と、うるおい運転を指示するうるおい運転指示手段と、肌にうるおいを与えられる湿度と時間との相関データを記憶した記憶部と、制御部とを備え、この制御部は、前記うるおい運転指示手段によってうるおい運転が指示されたとき、前記湿度検出手段の検出値と前記記憶部に記憶された相関データに基づき，室内の湿度を肌にうるおいを与えられる湿度で所定時間維持するように運転するものである。
【発明の効果】
【０００７】
本発明によれば、室内の湿度を検出する湿度検出手段と、うるおい運転を指示するうるおい運転指示手段と、肌にうるおいを与えられる湿度と時間との相関データを記憶した記憶部と、制御部とを備えており、この制御部は、前記うるおい運転指示手段によってうるおい運転が支持されたとき、前記湿度検出手段の検出値と前記記憶部に記憶された相関データに基づき，室内の湿度を肌にうるおいを与えられる湿度で所定時間維持するように運転するので、肌がみずみずしくなり、うるおいを与えられて、肌のかゆみの低減をすることができる。
【発明を実施するための最良の形態】
【０００８】
実施の形態１．
図１は本発明の実施の形態１を示す加湿器の制御ブロック図、図２は本発明の実施の形態１を示すうるおい運転時のフローチャートである。
図１において、１は加湿器の運転をオンオフする運転スイッチ、２は室内の湿度を検出する湿度センサ（湿度検出手段）、３は設定湿度を入力する湿度設定スイッチ（湿度設定手段）、４はうるおい運転を指示するためのうるおい運転スイッチ（うるおい運転指示手段）、５はマイクロコンピュータで、入力回路６、肌にうるおいを与えられる湿度と時間との相関データや運転プログラムなどを記憶した記憶部７、記憶部７のデータに基づいて全体の運転を制御する制御部８、時間をカウントするタイマー部９、出力回路１０とから構成されている。１１は運転中、必要な表示を行う表示部、１２は水蒸気を発生させるためのヒータ、１３は水蒸気を器外へ送り出すための送風ファンである。
【０００９】
図３は本発明を達成するために、雰囲気湿度と経過時間による肌に含まれる水分量を測定した実験データを示す図である。
図３の実験データによれば、湿度６０％雰囲気中では、肌の水分量は初期で５．０μＳ（マイクロジーメンスは電気伝導度を表す）、１５分後、３０分後、４５分後、６０分後のいずれにおいても肌の水分量は時間の経過に殆ど関係なくほぼ一定である。
【００１０】
しかし、湿度６３％雰囲気中では、肌の水分量は初期で６．０μＳであるが、１５分後には１０．０μＳ、３０分後には１２．２μＳ、４５分後には１２．０μＳ、６０分後には１３．０μＳとなり、肌の水分量は時間の経過とともに増加し、特に３０分経過後までの増加率が大きい。
【００１１】
また、湿度６５％雰囲気中でも、湿度６３％雰囲気中のときと同じように、肌の水分量は初期で４．６μＳであるが、１５分後には９．４μＳ、３０分後には１１．４μＳ、４５分後には１２．６μＳ、６０分後には１２．４μＳとなり、肌の水分量は時間の経過とともに増加し、３０分経過後までの増加率が大きい。
【００１２】
この実験データから、肌に与えられる水分量には、その雰囲気湿度と経過時間との間に密接な関係があり、適切な湿度と適切な時間との組み合わせが重要であり、特に時間については、あまり長い時間かけても、それ以上の効果は期待できないということが分かった。
【００１３】
次に、本発明の実施の形態１のうるおい運転時の動作について、図２のフローチャートにより説明する。ここで、本実施の形態１では、記憶部７には、うるおい運転時の湿度と時間との相関データとして、湿度６５％で３０分間維持するデータが記憶されているものとして説明する。
【００１４】
まず、ステップＳ１で、運転スイッチ１がオンされ、続いて、ステップＳ２で、うるおい運転スイッチ４がオンされると、ステップＳ３で、制御部８はヒータ１２と送風ファン１３をオンにして、うるおい運転を開始する。
うるおい運転が開始されると、ステップＳ４で、制御部８は肌に含まれる水分量を多くする雰囲気湿度と時間との相関データとして設定湿度６５％、維持時間３０分を記憶部７より読み出し、ステップＳ５で、湿度センサ２で室内の現在湿度を検出する。
【００１５】
うるおい運転が開始されると、ヒータ１２の加熱により水蒸気を発生させられ、送風ファン１３により発生した水蒸気は器外へ送り出される。そして、ステップＳ６で、前記制御部６は、湿度センサ２の検出湿度が６５％に達するまでは、ステップＳ７で、加湿運転の継続制御を行い、ステップＳ８で、現在湿度の検出を行い、ステップＳ９で、表示手段１０により現在湿度や運転モードなどの表示を行う。
【００１６】
そして、湿度センサ２の検出湿度が６５％に達すると、タイマー部９により湿度６５％の維持時間をカウントし、３０分経過すると、ステップＳ１０に進む。ステップＳ１０では、うるおい運転スイッチ４がオフされたかどうかを判定し、うるおい運転スイッチ４がオフされると、ステップＳ１１で、うるおい運転を停止して、終了する。ステップＳ１０で、うるおい運転スイッチ４がオフされなければ、ステップＳ６に戻り、ステップＳ６〜ステップＳ１０の動作を繰り返し行う。
【００１７】
この中で、うるおい運転の維持湿度は６３〜６７％の範囲内が最適であり、維持時間としては湿度６３％で３０〜４５分、湿度６５％で１５〜３０分、湿度６７％で１０〜１５分が適しているが、このうるおい運転の設定湿度と維持時間の相関データについては、所定の範囲内であれば、多少の変更は可能である。
【００１８】
このように、実施の形態１に示す加湿器においては、室内の湿度を検出する湿度センサ２と、うるおい運転を指示するうるおい運転スイッチ４と、肌にうるおいを与えられる湿度と時間との相関データを記憶した記憶部７と、制御部８とを備えており、この制御部８は、前記うるおい運転スイッチ４によってうるおい運転が指示されたとき、前記湿度センサ２の検出値と前記記憶部７に記憶された相関データに基づき，室内の湿度を肌にうるおいを与えられる湿度で所定時間維持するように運転するので、肌がみずみずしくなり、うるおいが与えられて、肌のかゆみの低減をすることができる。また、肌がうるおうよう、肌に含まれる水分量をアップする雰囲気湿度のデータは、使用者による変更が所定の範囲内であれば、若干可能にしたので、肌にふくまれる水分量に個人差があっても、また使用される環境差にも対応することができる。
【００１９】
なお、本実施の形態１では、ヒータ加熱式加湿器を例に説明したが、他の方式の気化式や超音波式の加湿器でも構わない。
【００２０】
実施の形態２．
次に、本発明の実施の形態２について、説明する。
図４は本発明の実施の形態２を示す加湿器のうるおい運転時の制御フローチャートであり、図５は本発明の実施の形態２におけるゆらぎ運転時の制御曲線図である。また、図６は本発明を達成するために、雰囲気湿度を６５％と５５％を繰り返したときの肌に含まれる水分量を測定した実験データを示す図である。
【００２１】
図６の実験データによれば、湿度４０％雰囲気での肌の水分量の初期値は１５．０μＳ位であるが、これより２０分間湿度６５％運転にすると、肌の水分量は２０分後には２２．６μＳ位までにあがる。これより５分間湿度を湿度５５％運転に下げると、肌の水分量も２５分後には１７．６μＳ位まで下がり、再び、また２０分間湿度６５％運転に上げると、肌の水分量は４５分後には２６．０μＳ位まで上がる。そして、また５分間湿度５５％運転に下げると、肌の水分量は５０分後には１７．６μＳ位まで下がり、そして、また再び２０分間湿度６５％運転に上げると、肌の水分量は７０分後には３２．６μＳ位まであがる。
【００２２】
そして、この動作を繰り返すことで、肌の水分量は９５分後には３０．８μＳ位まで上がることが確認された。
この実験データにより、その雰囲気湿度にゆらぎを付与することによって肌の水分量が徐々に増加することが分かった。
【００２３】
次に、実施の形態２の動作について、図５のフローチャートにより説明する。
ステップＳ１〜ステップＳ９までは実施の形態1と同じなので、この部分の説明は省略し、相違する部分についてのみ説明する。
【００２４】
ステップＳ６で、湿度６５％運転を３０分間維持したならば、ステップＳ１２で、ヒータ１２と送風ファン１３をオフして加湿を一旦停止する。次に、ステップＳ１３で、現在湿度の測定を行い、ステップＳ１４で、現在湿度が５５％まで下がったことを制御部８が確認すると、ステップＳ１５で、うるおい運転スイッチ４がオフされたかどうかを判断し、オフされなければ、ステップＳ６に戻り、再び加湿を始めて湿度を約６５％まで上げて、また、再度３０分間維持する制御を繰り返し、肌にうるおいを与えられる湿度にゆらぎを付与する。
【００２５】
ステップＳ１５で、うるおい運転スイッチ４がオフされれば、ステップＳ１６で、うるおい運転を停止して、終了する。
【００２６】
これにより、雰囲気湿度を６５％一定にして運転を継続した場合に比べて、より肌に含まれる水分量を増加させることができる。また、長時間を高い湿度に維持しないので、部屋の結露を抑えることができ、かつ電気代も低減することができる。
【００２７】
なお、上記実施の形態２では、高いほうの湿度を６５％、加湿運転を再開させる低いほうの湿度を５５％、高いほうの湿度６５％の維持時間を３０分としたが、これらの数値はそれぞれ所定の範囲内であれば、任意に変更しても構わない。
【００２８】
また、記憶部７に記憶する肌にうるおいを与える湿度と時間の相関データを、使用者が所定の範囲内で任意に変更可能にすれば、肌に含まれる水分量に個人差があっても、この個人差にも対応することができる。
【図面の簡単な説明】
【００２９】
【図１】本発明の実施の形態１を示す加湿器の制御ブロック図である。
【図２】本発明の実施の形態１を示す加湿器のうるおい運転時の制御フローチャートである。
【図３】雰囲気湿度と経過時間における肌の水分量の変化を測定した実験データを示す図である。
【図４】本発明の実施の形態２を示す加湿器のうるおい運転時の制御フローチャートである
【図５】本発明の実施の形態２の加湿機におけるうるおい運転時の湿度と経過時間との関係を示す説明図である。
【図６】雰囲気湿度に経過時間とともにゆらぎを付与して肌の水分量の変化を測定した実験データを示す図である。
【符号の説明】
【００３０】
１  運転スイッチ、２  湿度センサ（湿度検出手段）、３  湿度設定スイッチ（湿度設定手段）、４  うるおい運転スイッチ（うるおい運転指示手段）、５  マイクロコンピュータ、６  入力回路、７  記憶部、８  制御部、９  タイマー部、１０  出力回路、１１  表示手段、１２  ヒータ、１３  送風ファン。
【図１】
2004294058.tif 000003
【図２】
2004294058.tif 000004
【図３】
2004294058.tif 000005
【図４】
2004294058.tif 000006
【図５】
2004294058.tif 000007
【図６】
2004294058.tif 000008